(57)【要約】【課題】簡便な操作で位置決めして固定することができるドレンホース固定具を提供する。【解決手段】ドレンパンに設けたドレンソケットに対して差し込まれたドレンホースを固定するクリップ１０であって、ドレンホースが挿通されるドレンホース用孔部１４が形成された本体部１５と、本体部１５に接続され、ドレンパンのネジ用ボスに対して固定するネジを通すネジ用孔部１６が形成された固定部１７と、を備え、固定部１７には、ドレンホース用孔部１４の中心Ｏ１とネジ用孔部１６の中心Ｏ２とを通る基準線Ｌ１を挟んで、基準面Ｐから立設された位置決め用リブ１９ａと、基準面Ｐと同じ高さとされた平坦部２１とが設けられている。【選択図】図４
2018173215.tif 000002
【特許請求の範囲】
【請求項１】
空気調和装置の熱交換器から滴下する水を受けるドレンパンに設けたドレンホース差込口に対して差し込まれたドレンホースを固定するドレンホース固定具であって、
前記ドレンホースが挿通されるドレンホース用孔部が形成された本体部と、
該本体部に接続され、前記ドレンパンのドレンパン側固定部に対して固定する固定手段を通す固定手段用孔部が形成された固定部と、
を備え、
前記固定部には、前記ドレンホース用孔部の中心と前記固定手段用孔部の中心とを通る基準線を挟んで、基準面から立設されたリブと、該基準面と略同じ高さとされた平坦部とが設けられていることを特徴とするドレンホース固定具。
【請求項２】
前記リブは、前記本体部および前記固定部の周縁に設けられ、前記平坦部にて切り欠かれていることを特徴とする請求項１に記載のドレンホース固定具。
【請求項３】
請求項１又は２に記載されたドレンホース固定具と、
前記ドレンホース固定具の前記ドレンホース用孔部に挿通されるドレンホースと、
該ドレンホースが差し込まれるドレンホース差込口および前記固定手段用孔部を通る固定手段が固定される固定手段用ボスが設けられたドレンパンと、
を備えていることを特徴とする空気調和装置の室内機。
【発明の詳細な説明】
【技術分野】
【０００１】
本発明は、ドレンホースを固定するドレンホース固定具およびこれを備えた空気調和装置の室内機に関するものである。
【背景技術】
【０００２】
空気調和装置の室内機には、冷房時等に熱交換器にて凝縮したドレン水を集めるドレンパンが設けられている。ドレンパンには、外部にドレン水を排出するためのドレンホースが接続される。ドレンホースをドレンパンの差込口に固定する際に、ドレンホース固定具が用いられる（特許文献１）。
【先行技術文献】
【特許文献】
【０００３】
【特許文献１】特開２０１１−１４９６１６号公報
【発明の概要】
【発明が解決しようとする課題】
【０００４】
ドレンホース固定具には、ドレンホースが挿入されるドレンホース用孔部が形成されている。ドレンホース用孔部にドレンホースを挿入してドレンパンの差込口にドレンホースを嵌合し、ドレンパンに設けられたネジ用ボスに対してドレンホース固定具をネジ止めすることによって、ドレンホースがドレンパンに対して固定される。このようにドレンホースを固定する際には、ドレンホースをドレンホース用孔部挿入した状態でドレンホース固定具をドレンホース回りに回動させて、ネジ用ボスに対して位置決めする必要がある。しかし、ネジ用ボスに対してドレンホース固定具を正確に位置決めすることは、ドレンホースをねじ込みながらの作業となるので困難を伴うものであった。
【０００５】
本発明は、このような事情に鑑みてなされたものであって、簡便な操作で位置決めして固定することができるドレンホース固定具および空気調和装置の室内機を提供することを目的とする。
【課題を解決するための手段】
【０００６】
上記課題を解決するために、本発明のドレンホース固定具および空気調和装置の室内機は以下の手段を採用する。
すなわち、本発明にかかるドレンホース固定具は、空気調和装置の熱交換器から滴下する水を受けるドレンパンに設けたドレンホース差込口に対して差し込まれたドレンホースを固定するドレンホース固定具であって、前記ドレンホースが挿通されるドレンホース用孔部が形成された本体部と、該本体部に接続され、前記ドレンパンのドレンパン側固定部に対して固定する固定手段を通す固定手段用孔部が形成された固定部と、を備え、前記固定部には、前記ドレンホース用孔部の中心と前記固定手段用孔部の中心とを通る基準線を挟んで、基準面から立設されたリブと、該基準面と略同じ高さとされた平坦部とが設けられていることを特徴とする。
【０００７】
ドレンホース用孔部内にドレンホースを挿入した上で、固定手段用孔部から固定手段（例えばネジ）を通してドレンパン側固定部に対して固定することでドレンホース固定具をドレンパンに対して固定する。ドレンホース固定具を固定する際に、ドレンホースをドレンホース用孔部に挿入した状態でドレンホース固定具をドレンホース用孔部の中心回りに回動させて、ドレンパン側固定部まで固定手段用孔部を移動させる。このときに、ドレンホース用孔部の中心と固定手段用孔部の中心とを通る基準線の一側に設けられた平坦部を通過して固定手段用孔部がドレンパン側固定部まで移動させられる。そして、基準面に対して立設したリブがドレンパン側固定部の固定手段用ボスに当接する。これにより、固定手段用孔部の位置をドレンパン側固定部に対して容易に決定することができ、作業性が向上する。
【０００８】
さらに、本発明のドレンホース固定具では、前記リブは、前記本体部および前記固定部の周縁に設けられ、前記平坦部にて切り欠かれていることを特徴とする。
【０００９】
リブを本体部および固定部の周縁に設けることで、ドレンホース固定具の強度を高めることができる。ただし、平坦部に対応する位置ではリブを切り欠いて、ドレンパン側固定部の固定手段用ボスが通過できるようにする。
【００１０】
また、本発明の空気調和装置の室内機は、上記のいずれかに記載されたドレンホース固定具と、前記ドレンホース固定具の前記ドレンホース用孔部に挿通されるドレンホースと、該ドレンホースが差し込まれるドレンホース差込口および前記固定手段用孔部を通る固定手段が固定される固定手段用ボスが設けられたドレンパンと、を備えていることを特徴とする。
【００１１】
上記のドレンホース固定具を用いることにより、室内機のドレンパンに対するドレンホースの固定を容易に行うことができる。
【発明の効果】
【００１２】
固定手段用ボスを通過させる平坦部と固定手段用ボスに当接するリブとを設けることとしたので、ドレンホース固定具を簡便な操作で位置決めして固定することができ、作業性が向上する。
【図面の簡単な説明】
【００１３】
【図１】本発明の一実施形態に係る空気調和装置の室内機を示した斜視図である。
【図２】クリップが用いられるドレンソケット周りを示したドレンパンの部分拡大図である。
【図３】クリップに対してドレンホースを挿入した状態を示した斜視図である。
【図４】クリップをリブ側から見た平面図である。
【発明を実施するための形態】
【００１４】
以下に、本発明にかかる一実施形態について、図面を参照して説明する。
図１には、空気調和装置の室内機１の外観が示されている。室内機１は、壁掛形とされており、上方から室内空気を吸い込み、下方から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１５】
図２には、室内機１に設けられたドレンパン３の部分拡大図が示されている。ドレンパン３は、室内熱交換器にて凝縮したドレン水が導かれるように、室内機１の下方に設けられている。ドレンパン３には、ドレンパン３に導かれたドレン水を外部に排出するためのドレンソケット（ドレンホース差込口）５が設けられている。ドレンソケット５は、円筒形状とされており、ドレンパン３の本体部から突出して設けられている。
【００１６】
ドレンソケット５の側方には、ドレンパン側固定部となるネジ用ボス（固定手段用ボス）７が設けられている。ネジ用ボス７は、ドレンソケット５よりも小径とされた円筒形状とされており、ドレンパン３の本端部から突出して設けられている。ネジ用ボス７の中央には、ネジ穴７ａが形成されている。このネジ穴７ａには、ドレンホースをドレンソケット５に固定するためのクリップ（ドレンホース固定具）１０をネジ止めするためのネジが挿入される。
【００１７】
クリップ１０は、図３に示すように、ドレンホース１２の先端を差し込んだ状態で使用する。この状態で、図２に示したドレンソケット５にドレンホース１２の先端を嵌合させて、さらにクリップ１０を矢印Ａ１方向に回動することによって取り付ける。
【００１８】
図４に示すように、クリップ１０は、樹脂製とされており、ドレンホース１２が挿通されるドレンホース用孔部１４が形成された本体部１５と、本体部１５に接続され、ネジ用孔部１６が形成された固定部１７とを有している。
【００１９】
本体部１５は、図４のように平面視した場合に外形が略円形とされている。この略円形の外形と同じ中心Ｏ１を有してドレンホース用孔部１４が形成されている。ドレンホース用孔部１４は、ドレンホース１２の外径よりも僅かに小さい径とされ、ドレンホース１２が圧入された状態で嵌め込まれるようになっている。本体部１５の外周縁の全体に沿って、厚さ方向（図４において紙面垂直方向）に立設するリブ１９が設けられている。
【００２０】
固定部１７は、本体部１５に連続して一体的に成形されており、略円形とされた本体部１５の半径方向外側に突出するように形成されている。したがって、本体部１５と固定部１７で形成されたクリップ１０は、図４のように平面視した場合に、一部が膨出した涙形形状となっている。
【００２１】
固定部１７に形成されたネジ用孔部１６は、中心Ｏ２を中心とした円形とされており、クリップ１０をドレンパンのネジ用ボス７（図２参照）にネジ止めする際に用いられるネジを挿通するための貫通孔であり、ネジよりも僅かに大きな外径とされている。
【００２２】
固定部１７の周縁には、リブ１９が設けられている。リブ１９は、本体部１５に設けたリブ１９に連続して形成されている。固定部１７の一側には、リブ１９が設けられていない平坦部２１が設けられている。平坦部２１は、固定部１７の平板状の平面（基準面）Ｐに連続し、平面Ｐと同じ高さとされている。
【００２３】
固定部１７には、リブ１９に接続された位置決め用リブ１９ａが設けられている。位置決め用リブ１９ａは、ネジ用ボス７（図２参照）の側面形状に対応した曲率を有した内周面１９ａ１を有している。この内周面１９ａ１にネジ用ボス７の側面が当接することで、ネジ用ボス７に対してネジ用孔部１６の位置が正確に決定される。なお、位置決め用リブ１９ａは、リブ１９に接続されずに独立して設けても良い。
【００２４】
位置決め用リブ１９ａと平坦部２１は、ドレンホース用孔部１４の中心Ｏ１とネジ用孔部１６の中心Ｏ２を通る基準線Ｌ１の両側にそれぞれ配置されている。これにより、クリップ１０をドレンホース１２回りに回動させる際に、平坦部２１をネジ用ボス７が通過し、その後に位置決め用リブ１９ａにネジ用ボス７が当接するようになる。
【００２５】
次に、上述のクリップ１０を用いたドレンホース１２の固定方法について説明する。
先ず、図３に示すように、クリップ１０のリブ１９がドレンホース１２の先端側を向くようにして（図３においてリブ１９が上側を向くようにして）、ドレンホース１２の先端をクリップ１０のドレンホース用孔部１４内に挿入する。
【００２６】
そして、クリップ１０とともにドレンホース１２の先端を、図２に示したドレンソケット５に差し込む。このときに、ドレンホース１２の内周とドレンソケット５の外周が密着する。
【００２７】
次に、図２の矢印Ａ１方向すなわちドレンホース１２の中心回りにクリップ１０を回動させる。このとき、ドレンホース１２はドレンソケット５に対して略静止したままとなっており、クリップ１０はドレンホース１２に対して変位することになる。
【００２８】
クリップ１０の固定部１７が矢印Ａ１方向に回動すると、先ず固定部１７の平坦部２１（図４参照）がネジ用ボス７の上方を通過し、その後、位置決め用リブ１９ａの内周面１９ａ１がネジ用ボス７の側面に当接する。これにより、ネジ用ボス７に対してクリップ１０が位置決めされる。そして、ネジを固定部１７のネジ用孔部１６からネジ用ボス７のネジ穴７ａに通して螺合し、クリップ１０とネジ用ボス７とを固定する。
【００２９】
以上の通り、本実施形態によれば、以下の作用効果を奏する。
【００３０】
クリップ１０を固定する際に、ドレンホース１２をドレンホース用孔部１４に挿入した状態でクリップ１０をドレンホース用孔部１４の中心Ｏ１回りに回動させて、ネジ用ボス７までネジ用孔部１６を移動させる。このときに、ドレンホース用孔部１４の中心Ｏ１とネジ用孔部１６の中心Ｏ２とを通る基準線Ｌ１の一側に設けられた平坦部２１を通過してネジ用孔部１６がネジ用ボス７まで移動させられる。そして、位置決め用リブ１９ａがネジ用ボス７に当接するにした。これにより、ネジ用孔部１６の位置をネジ用ボス７のネジ穴７ａに対して容易に決定することができ、作業性が向上する。
【００３１】
リブ１９を本体部１５および固定部１７の周縁に設けることとしたので、クリップ１０の強度を高めることができる。
【符号の説明】
【００３２】
１  室内機
３  ドレンパン
５  ドレンソケット（ドレンホース差込口）
７  ネジ用ボス（固定手段用ボス）
７ａ  ネジ穴
１０  クリップ（ドレンホース固定具）
１２  ドレンホース
１４  ドレンホース用孔部
１５  本体部
１６  ネジ用孔部（固定手段用孔部）
１７  固定部
１９  リブ
１９ａ  位置決め用リブ
１９ａ１  内周面
２１  平坦部
Ｏ１  （ドレンホース用孔部の）中心
Ｏ２  （ネジ用孔部の）中心
Ｐ  平面（基準面）
【図１】
2018173215.tif 000003
【図２】
2018173215.tif 000004
【図３】
2018173215.tif 000005
【図４】
2018173215.tif 000006